【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
原稿を読み取って得た第１画像データから、当該第１画像データ中に埋め込まれた埋め込み情報を取得する埋め込み情報取得手段と、
前記埋め込み情報取得手段で取得した埋め込み情報に基づいて、前記原稿の電子化条件を取得する電子化条件取得手段と、
取得された電子化条件に基づいて、前記原稿を読み取ることにより、第２画像データを取得する画像取得手段と、
前記画像取得手段で取得した第２画像データに対して、電子署名情報とタイムスタンプ情報との少なくともいずれかを付与する付与手段と、
前記付与手段で電子署名情報とタイムスタンプ情報との少なくともいずれかが付与された第２画像データを、データ格納装置に格納する格納手段と
を備えることを特徴とする原稿画像処理装置。
【請求項２】
更に、ユーザを識別する識別情報を入力する入力手段を備え、
前記付与手段は、前記入力手段で入力された識別情報に基づいて、前記第２画像データに対して前記電子署名情報を付与することを特徴とする請求項１に記載の原稿画像処理装置。
【請求項３】
前記入力手段は、前記ユーザを識別する識別情報となる電子証明書情報を格納する記憶媒体から、前記電子証明書情報を入力することを特徴とする請求項２に記載の原稿画像処理装置。
【請求項４】
前記入力手段は、ユーザを識別する識別情報となる電子証明書情報を管理しているサーバから取得した前記電子証明書情報を入力することを特徴とする請求項２に記載の原稿画像処理装置。
【請求項５】
更に、前記電子証明書情報の有効／無効を認定するサーバにアクセスして、前記電子証明書情報の有効性を判断し、無効であると判断された場合、エラー通知を行い、一方、有効であると判断された場合、前記付与手段で前記第２画像データに対して前記電子署名情報を付与することを特徴とする請求項３に記載の原稿画像処理装置。
【請求項６】
前記電子化条件取得手段は、前記埋め込み情報取得手段で抽出された埋め込み情報に含まれるアドレス情報で指定されるサーバにアクセスし、前記電子化条件を取得することを特徴とする請求項１に記載の原稿画像処理装置。
【請求項７】
前記電子化条件取得手段は、前記埋め込み情報に基づいて、前記原稿をカラー／モノクロモードのいずれで読み取るか、読み取る際の階調ビット数、濃度、読み取り解像度、並びに、読み取った画像のデータフォーマットの情報を取得することを特徴とする請求項１に記載の原稿画像処理装置。
【請求項８】
前記付与手段が前記タイムスタンプ情報を付与する場合、タイムスタンプサーバにアクセスし、タイムスタンプサーバから前記タイムスタンプ情報を取得する手段を更に備えることを特徴とする請求項１に記載の原稿画像処理装置。
【請求項９】
前記電子化条件取得手段は、前記電子化条件の１つとして、前記埋め込み情報に基づいて、記入必須となる特定エリアを示す情報を取得する特定エリア情報取得手段を含み、
前記原稿画像処理装置は、更に、
前記第１画像データにおいて、前記記入必須項目位置に対する記入がなされているか否かを判定する手段と、
記入必須項目への記入がないと判定した場合、エラー通知を行うエラー通知手段とを備えることを特徴とする請求項１に記載の原稿画像処理装置。
【請求項１０】
前記特定エリア情報取得手段は、前記埋め込み情報に含まれるアドレス情報で指定されるサーバにアクセスすることで、前記特定エリアを示す情報を取得することを特徴とする請求項９に記載の原稿画像処理装置。
【請求項１１】
前記特定エリアの記載内容を文字認識処理する文字認識手段と、
前記文字認識手段による文字認識処理結果をデータベースに保存する保存手段とを更に備えることを特徴とする請求項１に記載の原稿画像処理装置。
【請求項１２】
前記原稿を予め設定された読取条件で読み取ることにより、前記第１画像データを得るプレスキャン手段を更に備えることを特徴とする請求項１に記載の原稿画像処理装置。
【請求項１３】
前記格納制御手段により格納される前記第２画像データの格納先を選択する格納先選択手段を更に備えることを特徴とする請求項１に記載の原稿画像処理装置。
【請求項１４】
前記前記電子化条件取得手段は、前記埋め込み情報が電子化条件を格納している条件サーバのアドレス情報であった場合、当該アドレス情報に対応する電子化条件を既に保持しているか否か判断し、保持していると判断した場合は当該保持されている電子化条件を取得し、保持していないと判断した場合は当該アドレス情報にしたがって当該条件サーバにアクセスすることにより、前記電子化条件を取得することを特徴とする請求項１に記載の原稿画像処理装置。
【請求項１５】
前記電子化条件にしたがって、前記第１画像データまたは前記第２画像データを文字認識処理することにより、当該原稿の属性情報を取得する属性情報取得手段を更に有し、
前記格納制御手段は、前記タイムスタンプ情報が付与された第２画像データとともに、前記取得した属性情報を前記データ格納装置に格納することを特徴とする請求項１に記載の原稿画像処理装置。
【請求項１６】
情報取得手段が、原稿を読み取って得た第１画像データから、当該第１画像データ中に埋め込まれた埋め込み情報を取得する埋め込み情報取得工程と、
電子化条件取得手段が、前記埋め込み情報取得工程で取得した埋め込み情報に基づいて、前記原稿の電子化条件を取得する電子化条件取得工程と、
画像取得手段が、取得された電子化条件に基づいて、前記原稿を読み取ることにより、第２画像データを取得する画像取得工程と、
付与手段が、前記画像取得工程で取得した第２画像データに対して、電子署名情報とタイムスタンプ情報との少なくともいずれかを付与する付与工程と、
格納手段が、前記付与工程で電子署名情報とタイムスタンプ情報との少なくともいずれかが付与された第２画像データを、データ格納装置に格納する格納工程と
を備えることを特徴とする原稿画像処理方法。
【請求項１７】
コンピュータを、
原稿を読み取って得た第１画像データから、当該第１画像データ中に埋め込まれた埋め込み情報を取得する埋め込み情報取得手段、
前記埋め込み情報取得手段で取得した埋め込み情報に基づいて、前記原稿の電子化条件を取得する電子化条件取得手段、
取得された電子化条件に基づいて、前記原稿を読み取ることにより、第２画像データを取得する画像取得手段、
前記画像取得手段で取得した第２画像データに対して、電子署名情報とタイムスタンプ情報との少なくともいずれかを付与する付与手段、
前記付与手段で電子署名情報とタイムスタンプ情報との少なくともいずれかが付与された第２画像データを、データ格納装置に格納する格納手段、
として機能させるためのコンピュータ実行可能なコンピュータプログラム。
【請求項１８】
請求項１７に記載のコンピュータプログラムを記憶した、コンピュータ可読記憶媒体。
【手続補正２】
【補正対象書類名】明細書
【補正対象項目名】発明の名称
【補正方法】変更
【補正の内容】
【発明の名称】原稿画像処理装置及び方法、並びに、コンピュータプログラム及びコンピュータ可読記憶媒体
【手続補正３】
【補正対象書類名】明細書
【補正対象項目名】０００９
【補正方法】変更
【補正の内容】
【０００９】
この課題を解決するため、例えば、本発明の原稿画像処理装置は以下の構成を備える。すなわち、
原稿を読み取って得た第１画像データから、当該第１画像データ中に埋め込まれた埋め込み情報を取得する埋め込み情報取得手段と、
前記埋め込み情報取得手段で取得した埋め込み情報に基づいて、前記原稿の電子化条件を取得する電子化条件取得手段と、
取得された電子化条件に基づいて、前記原稿を読み取ることにより、第２画像データを取得する画像取得手段と、
前記画像取得手段で取得した第２画像データに対して、電子署名情報とタイムスタンプ情報との少なくともいずれかを付与する付与手段と、
前記付与手段で電子署名情報とタイムスタンプ情報との少なくともいずれかが付与された第２画像データを、データ格納装置に格納する格納手段とを備える。